(57)【要約】  【課題】  圧力スイッチ機能を備えた密閉型アルカリ蓄電池を急速充電する方法において、高い充電受け入れ率と充電効率を達成せんとするものである。  【解決手段】  充電時に電池の内圧が予め定めた規定値を超えたときに電気回路を切断して充電を停止させ、内圧が前記規定値を下回ったときに電気回路を導通させて充電を再開させる圧力スイッチ機能を内蔵する密閉型アルカリ蓄電池を定電圧にて充電する充電方法であって、充電電流と電池の低下記容量の比（ＡC／ＣN）、または、充電電流とピーク充電電流の比（ＡC／ＡCM）が、予め定めた規定値に達した時点をもって充電を打ち切る。【選択図】  なし【特許請求の範囲】
【請求項１】
充電時に電池の内圧が予め定めた規定値を超えたときに電気回路を切断して充電を停止させ、内圧が前記規定値を下回ったときに電気回路を導通させて充電を再開させる圧力スイッチ機能を内蔵する密閉型アルカリ蓄電池を、１セル当たり１．５〜１．７Ｖの定電圧を印可して充電する充電方法であって、充電電流（ＡC）と電池の定格容量（ＣN）との比（ＡC／ＣN）が、１〜２（ｍＡ／ｍＡｈ）の範囲内にある予め定めた規定値に達した時点をもって充電を打ちきる密閉型アルカリ蓄電池の充電方法。
【請求項２】
充電時に電池の内圧が予め定めた規定値を超えたときに電気回路を切断して充電を停止させ、内圧が前記規定値を下回ったときに電気回路を導通させて充電を再開させる圧力スイッチ機能を内蔵する密閉型アルカリ蓄電池を充電する充電方法であって、充電電流とピーク充電電流の比（ＡC／ＡCM）が、０．２５〜０．６の範囲内にある予め定めた規定値に達した時点をもって充電を終了する密閉型アルカリ蓄電池の充電方法。
【請求項３】
充電時に電池の内圧が予め定めた規定値を超えたときに電気回路を切断して充電を停止させ、内圧が前記規定値を下回ったときに電気回路を導通させて充電を再開させる圧力スイッチ機能を内蔵する密閉型アルカリ蓄電池用の充電器であって、充電電流を検知する機能を備え、前記ＡC／ＣNまたは、前記ＡC／ＡCMが予め定めた規定値に達したことを検知して充電を終了させる機能を持つ密閉型アルカリ蓄電池用充電器。
【発明の詳細な説明】
【技術分野】
【０００１】
本発明は、密閉型アルカリ蓄電池の充電方法に関するものであり、特に充電時に電池の内圧が予め定めた規定値を超えたときに電気回路を切断して充電を停止させ、内圧が前記規定値以下に低下したときに電気回路を導通させて充電を再開させるスイッチ機能を内蔵する密閉型アルカリ蓄電池の充電方法であって１時間未満の短時間で充電を終了させる急速充電方法および該充電に適用する充電器に関するものである。
【背景技術】
【０００２】
密閉形のアルカリ蓄電池は、耐放電後放置性能、耐過充電性能に優れ、一般ユーザーにとって使い易い電池であるところから、携帯電話、小型電動工具、小型パーソナルコンピュータ等の携帯用小型電子機器類用の電源として広く利用されている。
【０００３】
前記密閉型アルカリ蓄電池の充電において、これまでは急速充電とはいえ、充電完了までに約１時間を要する充電であり、充電中に電池の内圧が異常に上昇してベントが動作（異常昇圧）したり、電池の温度が電池にとって好ましい温度の上限を超えて上昇する（異常昇温）ことはまれなので、充電を繰り返し行っても顕著な性能低下が認められず特に問題とはならなかった。しかし、近年３０〜１５分間という極めて短い時間で充電を完了するという従来にない急速な充電に対する要求が高まっている。このような急速充電を行うと、前記異常昇圧や異常昇温が頻繁におこり、電解液の消耗や電池構成材料の変質などが生じて電池性能が顕著に低下する虞があるため、前記急速充電に関する要求に対して、従来構造の電池で対応することは極めて困難であった。
【０００４】
前記従来になかった急速充電の要求に対応する方策として、特許文献１に密閉型電池に前記圧力スイッチ機能を持たせることが提案されている。該提案によれば、圧力スイッチ機能を働かせることによって、３０〜１５分間で充電を完了させる急速充電を行ったときにも電池温度が電池にとって好ましい温度範囲の上限を超えて上昇しないように電池温度を制御できるとしている。（特許文献１参照）
【特許文献１】WO 02/35618 A1 号公報（FIG.2A、FIG.2B）
【０００５】
密閉型アルカリ蓄電池においては、正極の容量に比べてに負極の容量を大きくして、充電末期に正極で発生する酸素を負極で吸収する方式を採用している。該方式を酸素サイクル方式と称し、該方式の採用によって、原理的には過充電を行っても電池が破壊されることはない。しかし、前記負極による酸素吸収反応は、発熱反応であり、電池の内部温度を上昇させ、電池構成材料の変質を招来する虞がある。また、過充電による正極からの酸素の発生は、電池の内圧を高め、電極やセパレータから電解液を押し出して、電極やセパレータの液涸れ現象を招来する虞がある。また、過度に早すぎる充電の打ち切りは充電不足に繋がる。従って、密閉型アルカリ蓄電池の充電終了時点を適正に決めることは、蓄電池本来の性能を発揮させることと、蓄電池の性能を長期に亘り維持することにとって極めて重要である。
【０００６】
前記特許文献１には、前記圧力スイッチ機能を備えた蓄電池を定電圧で充電する充電方法が記載されている。該充電方法においては、アルカリ蓄電池の充電終了時点を決定する方法として、従来広く採用されている−ΔＶ充電制御方式（−ΔＶを検知して充電を終了させるという充電終止の判定方式）が採用できない。
【０００７】
充電終止時点を決定する最も単純な方法は、充電開始からの経過時間によって決める方法である。しかし、この方法によれば充電するときの周囲温度によって充電受け入れ率（ここでいう充電受け入れ率とは、当該充電後における放電容量の、電池の定格容量に対する比率をいう。なお、定格容量とは、フルに充電した電池が本来持っている放電容量を意味し、ここでは、フルに充電した電池を常温において０．２ＩｔＡのレートで放電したときに得られる放電容量と定義する）や、充電効率（ここでいう充電効率とは当該充電後における放電容量の充電電気量に対する比率をいう）が周囲温度によって大きく変わる欠点がある。
【０００８】
また、特許文献１には、蓄電池の表面に外層缶の膨張変形を司るストレインゲージを取り付け該ゲージの指示値が規定値に達した時点で充電を終止させる方法が提案されているが、この方法はストレインゲージを必要とするので、充電器の構成が複雑になり、高価になる欠点がある。
【発明の開示】
【発明が解決しようとする課題】
【０００９】
本発明は、値前記従来技術の欠点に鑑みなされたものであって、前記急速に短時間で密閉型アルカリ蓄電池を充電する方法において、充電不足、過充電の発生を極力抑制することを可能とする充電打ち切りのタイミングを簡便な方法で決定する充電方法を提供せんとするものである。
【課題を解決するための手段】
【００１０】
本発明は、鋭意検討の結果、アルカリ蓄電池の充電受け入れ率や充電効率と、充電電流と電池の定格容量の比（ＡC／ＣN）や充電電流と充電電流のピーク値の比（ＡC／ＡCM）との間に相関性があり、該２つの比を充電打ち切り時点を決定するための指標として適用できること、また、上記２つの比を充電打ち切り時点決定の指標とすることにより、一定時間で充電を打ちきる方式に比べて充電受け入れ率や充電効率が充電時の周囲温度の影響を受け難いことを見出したことによってなされたものである。
【００１１】
本発明は、密閉型アルカリ蓄電池の充電方法を以下の構成とすることによって前記課題を解決する。
（１）本発明に係る密閉型アルカリ蓄電池の充電方法は、充電時に電池の内圧が予め定めた規定値を超えたときに電気回路を切断して充電を停止させ、内圧が前記規定値を下回ったときに電気回路を導通させて充電を再開させる圧力スイッチ機能を内蔵する急速に短時間で密閉型アルカリ蓄電池を充電する充電方法であって、１セル当たり１．５〜１．７Ｖの定電圧を印可して充電し、充電電流（ＡC）と電池の定格容量（ＣN）との比（ＡC／ＣN）が、１〜２（ｍＡ／ｍＡｈ）の範囲内にある予め定めた規定値に達した時点をもって充電を打ちきる密閉型アルカリ蓄電池の充電方法である。なお、ここでいうところの充電電流（ＡC）は圧力スイッチが作動して充電回路がＯＦＦにあるときではなく充電回路がＯＮにあるときに流れる充電電流値を指す。
（２）本発明に係る密閉型アルカリ蓄電池の充電方法は、充電時に電池の内圧が予め定めた規定値を超えたときに電気回路を切断して充電を停止させ、内圧が前記規定値を下回ったときに電気回路を導通させて充電を再開させる圧力スイッチ機能を内蔵する急速に短時間で密閉型アルカリ蓄電池を充電する充電方法であって、１セル当たり１．５〜１．７Ｖの定電圧を印可して充電し、充電電流とピーク充電電流（充電電流のピーク値）の比（ＡC／ＡCM）が、０．２５〜０．６の範囲内にある予め定めた規定比率に達した時点をもって充電を打ちきる密閉型アルカリ蓄電池の充電方法である。
（３）本発明に係る密閉型アルカリ蓄電池の充電器は、充電時に電池の内圧が予め定めた規定値を超えたときに電気回路を切断して充電を停止させ、内圧が前記規定値を下回ったときに電気回路を導通させて充電を再開させる圧力スイッチ機能を内蔵する密閉型アルカリ蓄電池用の充電器であって、１セル当たり１．５〜１．７Ｖの定電圧を印可して充電する機能を有し、充電電流を検知する機能と電池の定格容量を記録する機能、または、充電電流を検知する機能と充電電流のピーク値を記録する機能を備え、前記ＡC／ＣN、または、前記ＡC／ＡCMが予め定めた規定値に達したことを検知して充電を終了させる機能を持つ密閉型アルカリ蓄電池用充電器である。
【発明の効果】
【００１２】
本発明に係る密閉型アルカリ蓄電池の充電方法によれば、充電時に電池の内圧が予め定めた規定値を超えたときに電気回路を切断して充電を停止させ、内圧が前記規定値を下回ったときに電気回路を導通させて充電を再開させる圧力スイッチ機能を内蔵する急速に短時間で密閉型アルカリ蓄電池を充電するに際して、簡便な方法で、かつ、充電不足や過充電に陥るのを極力抑制するように充電を終了させることができる。（請求項１、請求項２）
【００１３】
本発明に係る密閉型アルカリ蓄電池の充電器は、充電時に電池の内圧が予め定めた規定値を超えたときに電気回路を切断して充電を停止させ、内圧が前記規定値を下回ったときに電気回路を導通させて充電を再開させる圧力スイッチ機能を内蔵する急速に短時間で密閉型アルカリ蓄電池を充電するに際して、簡単な構成で、充電不足や過充電に陥るのを極力抑制することのできる密閉型アルカリ蓄電池の充電器である。（請求項３）
【発明を実施するための最良の形態】
【００１４】
本発明に係る充電方法は、前記圧力スイッチ機能を備えた密閉型アルカリ蓄電池を定電圧充電にて充電する充電方法であって、フル放電状態にある電池を、３０〜１５分間という短時間で充電を完了することのできる急速充電方法である。
【００１５】
前記圧力スイッチの構成は、特に限定されるものではないが１例として前記特許文献１に記載されている圧力スイッチが適用できる。具体的には、図１に示したような圧力スイッチ１２を内蔵した密閉型アルカリ蓄電池１１を充電の対象とする。該圧力スイッチ１２は、図１に示すように筒状の電槽１３の開放端（図の上部）に、電気絶縁性の封口部材１とリング状金属板５を配置し、封口部材１の中心部分に筒状の透孔２を設け、該透孔２に電極（正極）１０とキャップ状端子６を結ぶ電気回路を構成する接続部材３を貫通させている。前記透孔２の内壁と接続部材３の側壁、封口部材１の外周面と電槽１３の内壁およびリング状金属板５の外周壁と封口部材１をそれぞれ気密に当接させることによって電池を気密に密閉している。なお、封口部材１は、可撓性を有しており、接続部材３は、図の上下方向に位置を変えることができるのに対して、リング状金属板５は位置が固定されている。
【００１６】
電極１０と接続部材３とはタブ端子９を介して接続している。接続部材３の側壁上部にはリング状の金属製接続片４が接合され、前記リング状金属板５の外面（図では上の面）にはキャップ状端子６が接合されており、端子６とリング状金属板５で囲まれた空間に弾性体７を挿入し、該弾性体７の押圧力によって接続部材３を電池の内側方向（図では下方向）に押圧している。
【００１７】
電池の内圧が規定値以下のときは、弾性体７の押圧力の大きさが電池の内圧の大きさを上回るため、接続部材３が電池の内方向（図では下方）に押されて、図に示すように、接続片４の下面がリング状金属板５の上面に当接し、電極１０と端子６を結ぶ回路は導通状態になる。電池の内圧が規定値を超えたときには、電池の内圧が弾性体２８の押圧力に勝るため、接続部材３が電池の外方向（図では上方向）押されて、接続片４とリング状金属板５が離れて電気回路が切断される構成をとっている。
【００１８】
本発明においては、充電電圧を１．５〜１．７Ｖの範囲内に設定することが望ましい。充電電圧が１．５Ｖ未満では充電の進行が遅く充電に長時間を要する虞がある。充電電圧が１．７Ｖを超えると、充電時に正極において酸素の発生が、負極において水素の発生が盛んになり、電池の温度が好ましい温度範囲を超えて上昇する他に、充電当初から圧力スイッチが動作し、短時間で充電ができない虞がある。
【００１９】
本発明においては、充電時の前記ＡC／ＣNが１〜２（ｍＡ／ｍＡｈ）、より好ましくは１．３〜１．７（Ａ／Ａｈ）の範囲内にあって、予め定められた値に到達した時点で充電を打ちきる。ＡC／ＣNが１未満では過充電となり、該充電を繰り返すことによって電池性能の劣化を招く虞がある。また、ＡC／ＣNが２を超えると充電不足となり、電池の本来持っている性能を十分に生かせない虞がある。
【００２０】
本発明においては、充電時の前記ＡC／ＡCMが０．２５〜０．６、より好ましくは０．２５〜０．５の範囲内にあって、予め定められた値に到達した時点で充電を終了させる。ＡC／ＡCMが０．２５未満では過充電となり、該充電を繰り返すことによって電池性能の劣化を招く虞がある。また、ＡC／ＡCMが０．６を超えると充電不足となり、電池の本来持っている性能を十分に生かせない虞がある。
【００２１】
以下、定電圧充電様式を適用した実施例によって、本発明の詳細を説明する。
（第１の実施形態：ＡC／ＣNが規定値に達した時点で充電打ち切り）
（実施例１）
正極にニッケル電極を、負極に水素吸蔵合金電極を備えた定格容量２０００ｍＡｈ、ＡＡサイズ（単３サイズ）の密閉型ニッケル水素蓄電池であって、前記図１に示した圧力スイッチを備え、該圧力スイッチの動作圧力が２．４メガパスカル（ＭＰａ）である密閉型ニッケル水素蓄電池を作製した。
【００２２】
該蓄電池を５個用意し、各々の電池の表面に電池の温度を測定するための温度センサーを取り付けた。なお、定められた方法で電池を初期化成した後、周囲温度２０℃において、充電電流０．２ＩｔＡにて６時間充電し、１時間放置した後同周囲温度において放電電流０．２ＩｔＡにて放電終止電圧を１．０Ｖとして放電した。該放電で得られた放電容量を実施例１の前記定格容量Ａ（ｍＡｈ）とした。
【００２３】
放電終了後の電池を周囲温度２０℃、において、充電電圧１．６５Ｖの定電圧で充電した。供試電池１０個を本発明の実施形態に係る充電方法、具体的には前記ＡC／ＣNが１．３（ｍＡ／ｍＡｈ）に到達した時点で充電を停止した。充電停止後２時間放置した後に周囲温度２０℃において放電電流０．２ＩｔＡにて放電終止電圧を１．０Ｖとして放電した。該放電で得られた放電容量をＢ（ｍＡｈ）とし、Ｂ（ｍＡｈ）の前記Ａ（ｍＡｈ）に対する比率Ｂ／Ａ（％）を定電圧充電を行ったときの充電受け入れ率とした。また、充電中の充電電流をモニターし、これを積算して充電電気量Ｃ（ｍＡｈ）を求めた。前記放電容量Ｂ（ｍＡｈ）の充電電気量Ｃ（ｍＡｈ）に対する比率Ｂ／Ｃ（％）を算定し、該算定値を充電効率とした。
【００２４】
放電終了後の電池を周囲温度５℃と３５℃と別々の温度において、充電電圧１．６５Ｖの定電圧で充電した。供試電池１０個を本発明の実施形態に係る充電方法、具体的には前記ＡC／ＣNが１．３（ｍＡ／ｍＡｈ）に到達した時点で充電を停止した。充電停止後電池を周囲温度２０℃の雰囲気に移して２時間放置した後に、同周囲温度において放電電流０．２ＩｔＡにて放電終止電圧を１．０Ｖとして放電した。
【００２５】
（実施例２〜実施例４）
前記実施例１と同じ構成の電池を周囲温度２０℃、において、充電電圧１．６５Ｖの定電圧で充電した。ただし、ＡC／ＣNが、それぞれ１、１．７、２（ｍＡ／ｍＡｈ）に到達した時点で充電を打ち切り、実施例１と同様、充電停止後１時間放置した後に周囲温度２０℃において放電電流０．２ＩｔＡにて放電終止電圧を１．０Ｖとして放電した。実施例１と同様の方法にて充電受け入れ率、充電効率を求めた。該充電方法をそれぞれ実施例２、実施例３、実施例４とする。
【００２６】
（比較例１、比較例２）
前記実施例１と同じ構成の電池を、ＡC／ＣNが、それぞれ０．８、２．３（ｍＡ／ｍＡｈ）に到達した時点で充電をうち切り、実施例１と同様の方法にて充電受け入れ率、充電効率を求めた。該充電方法をそれぞれ比較例１、比較例２とする。
【００２７】
図２に実施例１〜実施例４、比較例１、比較例２の充電受け入れ率を、図３に実施例１〜実施例４、比較例１、比較例２の充電効率を示す。
【００２８】
図２に示したとおり、実施例１〜実施例４、および比較例１に比べて比較例２は、充電受け入れ率が低い。実施例、比較例共に１．６５Ｖの定電圧で充電しているので、充電電流がいずれも同じ時間的推移を示すなかで、実施例１〜実施例４の場合は、充電時間が１４〜２０分間、比較例１の場合は、充電時間が２５分間であるのに対して、比較例２においては、充電時間が約１０分間であり短い。比較例２の場合は、充電時間が短いために充電不足になったものと考えられる。
【００２９】
また、図３に示した通り、比較例１は、実施例１〜実施例４、比較例２に比べて充電効率が低い。比較例１の場合は前記のように充電時間が長く、充電の末期正極からの酸素発生が盛ん（副反応が盛んに起きている状態）になったために充電効率が低くなったものと考えられる。
図２と図３に示した結果から、前記ＡC／ＣNが１〜２（ｍＡ／ｍＡｈ）が良く、１．３〜１．７（ｍＡ／ｍＡｈ）がより好ましいことが分かる。
【００３０】
（本発明の第２の実施形態：ＡC／ＡCMが規定値に達した時点で充電打ち切り）
（実施例５）
前記実施例１において充電電流とピーク充電電流の比（ＡC／ＡCM）が０．４に達した時点で充電を終了した。その他は、実施例１と同じとした。該充電方法を実施例７とする。
【００３１】
（実施例６〜実施例８）
前記実施例７において、充電電流とピーク充電電流の比（ＡC／ＡCM）がそれぞれ０．２５、０．５、０．６になった時点で充電を終了した。それ以外は、実施例５と同じとした。該充電方法をそれぞれ実施例６、実施例７、実施例８とする。
【００３２】
（比較例３、比較例４）
前記実施例７において、充電電流とピーク充電電流の比（ＡC／ＡCM）がそれぞれ０．２、０．７になった時点で充電を終了した。それ以外は実施例７と同じとした。該充電方法をそれぞれ比較例３、比較例４とする。
【００３３】
図４に実施例５〜実施例８、比較例３、比較例４の充電受け入れ率を、図５にと実施例５〜実施例８、比較例３、比較例４の充電効率を示す。
【００３４】
図４に示したとおり、実施例１〜実施例４、および比較例４に比べて比較例３は、充電受け入れ率が低い。実施例、比較例共に１．６５Ｖの定電圧で充電しているので、充電電流がいずれも同じ時間的推移を示すなかで、実施例１〜実施例４の場合は、充電時間が１４〜２０分間、比較例４の場合は、充電時間が２５分間であるのに対して、比較例３においては、充電時間が約１０分間であり短い。比較例３の場合は、充電時間が短いために充電不足になったものと考えられる。
【００３５】
また、図５に示した通り、比較例４は、実施例１〜実施例４、比較例３に比べて充電効率が低い。比較例４の場合は前記のように充電時間が長く、充電の末期正極からの酸素発生が盛ん（副反応が盛んに起きている状態）になったために充電効率が低くなったものと考えられる。
図４、図５に示した結果から、ＡC／ＡCMが０．２５〜０．６が良く、０．２５〜０．５がより好ましいことがことが分かる。
【００３６】
（本発明実施形態と一定時間で充電を打ちきる充電方式の比較）
（実施例９、実施例１０）
前記実施例１と同じ構成の電池を実施例１と同じ試験に供した。但し、充電時の周囲温度を２０℃、５℃と３５℃の３種の温度で実施した。該実施例を実施例９とする。
前記実施例１と同じ構成の電池を実施例７と同じ試験に供した。但し、充電時の周囲温度を２０℃、５℃と３５℃の３種の温度で実施した。該実施例を実施例１０とする。
（比較例５、比較例６）
実施例１と同じ構成の蓄電池５個を実施例９と同じ試験に供した。但し、充電開始後１５分間経過した時点で充電をうち切った。該例を比較例５とする。
実施例１と同じ構成の蓄電池５個を実施例９と同じ試験に供した。但し、充電開始後２０分間経過した時点で充電をうち切った。該例を比較例６とする。
【００３７】
図６と図７に周囲温度５℃、２０℃、３５℃における実施例９、実施例１０、比較例５、比較例６に係る充電試験結果を示す。
【００３８】
図６、図７に示した通り、本発明に係る充電方法によれば、充電開始後一定時間経過後に充電を終了する比較例に比べて、充電時の周囲温度が変わっても充電受け入れ率、充電効率の変化が小さく周囲温度の影響を受け難い。一方比較例５においては図６に示したように５℃において充電受け入れ率が低い。比較例５の場合は、充電時の周囲温度が低いために充電電流が低くなったこと等により充電が不足したためと考えられる。また、比較例７の場合は図７に示したように充電時の周囲温度２０℃および３５℃における充電効率が低い。比較例７の場合は、充電時間を長く設定したために、充電により電池温度が上昇した後も充電が続行されたため、正極からの酸素ガス発生等の副反応の比率が増したために充電効率が低くなったものと考えられる。これに対して、実施例９や実施例１０の場合は、充電打ち切り時点を決定するための指標をＡC／ＣNやＡC／ＡCMとすることにより、充電時の周囲温度によって充電時間を調節でき、充電受け入れ率や充電効率が充電時の周囲温度の影響を受け難くできたものと考えられる。
【００３９】
本発明に係る充電器は、密閉型アルカリ蓄電池を定電圧で充電する充電器であって、充電電流を検知する電気回路および入力された電池の定格容量を記録するメモリー回路を内蔵し、且つ、充電電流（ＡC）と電池の定格容量（ＣN）の比が予め設定された値に到達したときに充電回路を切断するスイッチ機能を備える。該構成の充電器とすることによって、本発明の充電方法にとって好適な充電器とすることができる。
【００４０】
本発明に係る充電器は、密閉型アルカリ蓄電池を定電圧で充電する充電器であって、充電電流を検知する電気回路とピーク充電電流を記録するメモリー回路を備え、且つ、充電電流（ＡC）とピーク充電電流（ＡCM）の比が予め設定された比率に到達したときに充電回路を切断するスイッチ機能を備える。該構成の充電器とすることによって、本発明の充電方法にとって好適な充電器とすることができる。
【図面の簡単な説明】
【００４１】
【図１】圧力スイッチ機能付きの密閉型アルカリ蓄電池の要部構造を模式的に示す図である。
【図２】充電打ち切り時点の充電電流と定格容量の比（ＡC／ＣN）と、充電受け入れ率の関係を示すグラフである。
【図３】充電打ち切り時点の充電電流と定格容量の比（ＡC／ＣN）と、充電効率の関係を示すグラフである。
【図４】充電打ち切り時点の充電電流とピーク充電電流の比（ＡC／ＡCM）と、充電受け入れ率の関係を示すグラフである。
【図５】充電打ち切り時点の充電電流とピーク充電電流の比（ＡC／ＡCM）と、充電効率の関係を示すグラフである。
【図６】充電時の周囲温度と充電受け入れ率の関係を示すグラフである。
【図７】充電時の周囲温度と充電効率の関係を示すグラフである。
【符号の説明】
【００４２】
１１    圧力スイッチ内蔵密閉型アルカリ蓄電池
１２    圧力スイッチ
【図１】
2005108687.tif 000002
【図２】
2005108687.tif 000003
【図３】
2005108687.tif 000004
【図４】
2005108687.tif 000005
【図５】
2005108687.tif 000006
【図６】
2005108687.tif 000007
【図７】
2005108687.tif 000008